(57)【要約】【課題】既存の電子機器の本体内部を改造することなく、電子機器から殺虫剤或いは芳香剤を放出できる電子機器を提供する。【解決手段】発熱体冷却用のヒートシンクにファンから冷却風を送って冷却し、ファンと冷却風の排気口とを結ぶ通風路に、筐体から取り外しできる点検用の蓋部材が設けられている電子機器１において、蓋部材１０Ａに薬剤マット３０を保持可能な金属製ホルダ１４を備えた薬剤取付部１５を設け、ホルダ１４は、蓋部材１０Ａが筐体に取り付けられた状態で、ヒートシンクに当接させて加熱して薬剤を放散するようにした電子機器１である。薬剤取付部１５が設けられた蓋部材１０Ａ以外に、加湿や保湿機能、眠気防止機能、温風取り出し機能、風向き変更機能の何れかの機能を備えた蓋部材を別途用意して用途に応じて交換可能することができる。【選択図】図６
2014032497.tif 000002
【特許請求の範囲】
【請求項１】
ファンで発生させた冷却風をヒートシンクに送って冷却を行う電子機器であって、前記ファンと前記冷却風の排気口とを結ぶ通風路に、筐体から取り外しできる蓋部材が設けられている電子機器において、
前記蓋部材に薬剤含浸材を取り付け可能な金属製の薬剤取付部を設け、
前記薬剤取付部は、前記蓋部材が前記筐体に取り付けられた状態で、前記ヒートシンクに当接するようにしたことを特徴とする電子機器。
【請求項２】
前記薬剤取付部が設けられた蓋部材に加えて、加湿や保湿機能、眠気防止機能、温風取り出し機能、風向き変更機能の何れかの機能を備えた蓋部材が前記電子機器に備えられており、前記蓋部材は用途に応じて交換可能であることを特徴とする請求項１に記載の電子機器。
【請求項３】
前記蓋部材が前記ヒートシンクを流れる前記冷却風の上流側と下流側の２箇所に設けられており、
各場所の蓋部材には異なる機能を備えた前記薬剤取付部を持つ蓋部材を取付けることができることを特徴とする請求項２に記載の電子機器。
【請求項４】
上流側の蓋部材には前記薬剤取付部を持つ蓋部材、或いは加湿や保湿機能、眠気防止機能を備える蓋部材が取付けられ、下流側の蓋部材には温風取り出し機能、或いは風向き変更機能を備える蓋部材が取付けられることを特徴とする請求項３に記載の電子機器。
【請求項５】
前記下流側の蓋部材には温風取り出し機能を備える蓋部材が取付けられ、前記下流側の蓋部材は、前記電子機器の表面に取り付けられていることを特徴とする請求項４に記載の電子機器。
【発明の詳細な説明】
【技術分野】
【０００１】
本出願は、筐体の一部を交換することにより、虫除け機能或いは芳香剤の放散機能を持たせることができる電子機器に関する。
【背景技術】
【０００２】
携帯型パーソナルコンピュータ（ノートパソコン）等の電子機器を屋外に持ち出して使用する場合、春先から秋口にかけては蚊等の害虫に刺されることがあり、不快な環境での使用を強いられる。また、屋内であっても、開放した窓から侵入した害虫に刺される場合があった。このような場合、虫除け/殺虫を行うためには、蚊取線香等の虫除け/殺虫剤を使用する必要があり、屋外で使用する場合には虫除け/殺虫剤を、携帯型電子機器とは別に持ち運ぶ必要があった。
【０００３】
この課題に対して、汎用コンピュータ、ワークステーション、パソコン、及び家庭用ゲームコンピュータ等の情報処理装置より発生する余分な熱で殺虫剤を蒸発させて情報処理装置の周囲に殺虫剤を放散させる装置が特許文献１に開示されている。具体的には、市販の殺虫剤カートリッジの殺虫剤蒸発部分を情報処理装置に挿入して発熱部分に近接させ、殺虫剤を蒸発させて換気孔から外部に放散させたり、市販の殺虫剤シートを発熱部品に近接させて殺虫剤を蒸発させる構成が特許文献１に開示されている。
【０００４】
また、情報機器の発生する熱で殺虫剤を放散する技術の関連技術として、特許文献２には、芳香物質を電子機器内部の発熱部品の熱で蒸発させて放出し、電子機器の操作者の疲労感を和らげる電子機器が開示されている。特許文献２に開示の技術は、電子機器内の発熱部品の直上に芳香剤カートリッジを置き、ファンで外部から取り入れた空気で蒸発した芳香剤を運び、電子機器の外部に放出するというものである。
【先行技術文献】
【特許文献】
【０００５】
【特許文献１】特開平７−１５２４５５号公報
【０００６】
【特許文献２】特開２００３−１５７７１号公報
【発明の概要】
【発明が解決しようとする課題】
【０００７】
しかしながら、特許文献１や特許文献２に開示の装置では、殺虫剤或いは芳香剤を情報処理装置や電子機器の内部において蒸発させるために、情報処理装置や電子機器を改造する必要があり、装置コストが上昇するという課題があった。
【０００８】
１つの側面では、本出願は、電子機器の筐体の一部を後から別の部材に交換することにより、既存の電子機器の本体内部を改造することなく、電子機器から殺虫剤或いは芳香剤を放出できる電子機器の提供を目的とする。即ち、本出願は、ノートパソコン本体等の電子機器にあるヒートシンクフィンを掃除するための蓋部材（ダストカバー）を、虫除け機能或いは芳香剤放出機能付きのダストカバーに交換することにより、虫除けや芳香機能を実現出来る電子機器を提供する。
【０００９】
他の側面では、本出願は、加湿や保湿機能、眠気防止機能、温風取り出し機能、風向き変更機能等を持たせた蓋部材を複数種類用意し、ユーザの用途に応じて、必要な機能を持った蓋部材に交換できる電子機器を提供する。また、電子機器に内蔵されたヒートシンクの奥、手前どちらにも蓋部材が取り付けられているものにおいて、２つの機能を同時に使用することができる電子機器を提供する。
【課題を解決するための手段】
【００１０】
実施形態の一観点によれば、本出願は、ファンで発生させた冷却風をヒートシンクに送って冷却を行い、ファンと冷却風の排気口とを結ぶ通風路に、筐体から取り外しできる蓋部材が設けられている電子機器において、蓋部材に、薬剤を保持可能な伝熱部材製のホルダを備える薬剤取付部を設け、ホルダは、蓋部材が筐体に取り付けられた状態で、ヒートシンクに当接するようにしたことを特徴とする電子機器である。
【００１１】
実施形態の他の観点によれば、本出願は、上記の薬剤取付部が設けられた蓋部材に加えて、加湿や保湿機能、眠気防止機能、温風取り出し機能、風向き変更機能の何れかの機能を備えた蓋部材が電子機器に備えられており、蓋部材は用途に応じて交換可能であることを特徴とする電子機器である。
【図面の簡単な説明】
【００１２】
【図１】（ａ）は本出願が対象とする電子機器の一例であるパーソナルコンピュータを正面から見た斜視図、（ｂ）は（ａ）に示される電子機器の背面側の筐体に設けられた点検用の蓋部材の位置を示す斜視図である。
【図２】（ａ）は本出願の電子機器に取付ける第１の実施例の蓋部材の構成を示す組立斜視図、（ｂ）は（ａ）に示した蓋部材に板金が取付けられた状態を示す斜視図、（ｃ）は（ｂ）に示した蓋部材に薬剤マットが取付けられた状態を示す斜視図である。
【図３】（ａ）は本出願が対象とする電子機器の別の実施例の本体内部の要部の構成を示す平面図、（ｂ）は（ａ）のＡ−Ａ線における局部断面図である。
【図４】（ａ）は薬剤取付部を備えていない蓋部材の構成を示す斜視図、（ｂ）は本出願の電子機器に取付ける第２の実施例の蓋部材の構成を示す斜視図、（ｃ）は図２（ｂ）に示した薬剤マットに代えて芳香剤マットが薬剤取付部に取付けられる変形実施形態を示す斜視図である。
【図５】（ａ）は図４（ａ）に示した電子機器を背面側から見た斜視図、（ｂ）は（ａ）の破線で囲んだＢ部を矢印Ｃ方向から見た部分斜視図である。
【図６】（ａ）は本出願が対象とする点検用の蓋部材を備える電子機器の別の例の本体部分のみを示し斜視図、（ｂ）は（ａ）のＤ−Ｄ線における局部断面図である。
【図７】図６（ａ）に示した点検用の蓋部材が電子機器の側面に設けられている場合の、本出願の第３の実施例の蓋部材の構成を、電子機器の本体と共に示す斜視図である。
【図８】（ａ）は本出願の電子機器に取付ける第４の実施例の蓋部材の構成を示す斜視図、（ｂ）は（ａ）に示した蓋部材が図６（ａ）に示した電子機器に取り付けられた状態を示す斜視図である。
【図９】（ａ）は図８（ｂ）に示した電子機器のＥ−Ｅ線における局部断面図、（ｂ）は（ａ）に示した実施例の変形実施例の構成を示す図８（ｂ）に示した電子機器のＥ−Ｅ線における局部断面図である。
【図１０】（ａ）は本出願の電子機器に取付ける第５の実施例の蓋部材の構成を示す斜視図、（ｂ）は（ａ）に示した蓋部材が図６（ａ）に示した電子機器に取り付けられた場合の部分拡大平面図である。
【図１１】（ａ）は本出願の電子機器に取付ける第６の実施例の蓋部材の構成を示す斜視図、（ｂ）は（ａ）に示した蓋部材が図６（ａ）に示した電子機器に取り付けられた場合の、電子機器の下側筐体における冷却風通路の構成を示す平面図である。
【図１２】図１１（ｂ）に示した電子機器の下側筐体における冷却風通路の上に、キーボード側への冷却風噴出し孔が設けられたパネルが取付けられた状態を示す平面図である。
【発明を実施するための形態】
【００１３】
以下、添付図面を用いて本出願の実施の形態を、具体的な実施例に基づいて詳細に説明する。なお、同じ機能を備えた構成部材については同じ符号を付して説明する。
【００１４】
図１（ａ）は本出願が対象とする電子機器１の一例を示す斜視図である。ここでは、電子機器１として、パーソナルコンピュータを例にとって説明するが、電子機器１としては携帯端末やタブレット等の情報機器も含まれ、パーソナルコンピュータに限定されるものではない。以後の実施例ではパーソナルコンピュータ１を電子機器として説明する。
【００１５】
パーソナルコンピュータ１には入力キー１Ｋを備える本体１Ｈと、表示器１Ｌを備えるディスプレイ部１Ｄがある。また、図１（ｂ）は図１（ａ）に示したパーソナルコンピュータ１の背面部１Ｂを示す斜視図である。本願が対象とするパーソナルコンピュータ１には、その背面部１Ｂ、側面部１Ｓ或いは表面部１Ｆに、本体１Ｈの内部を点検する点検孔１Ｔがあり、その点検孔１Ｔには蓋部材１０が取付けられているものとする。図１（ｂ）に示すパーソナルコンピュータ１には、背面部１Ｂに点検孔１Ｔがあり、この点検孔１Ｔは通常、蓋部材１０で塞がれているものである。蓋部材１０はダストカバーと呼ばれることもある。
【００１６】
図２（ａ）は図１（ｂ）に示した蓋部材１０と置き換える本出願の第１の実施例の蓋部材１０Ａの構成を示す組立斜視図である。第１の実施例の蓋部材１０Ａは、背面部１Ｂを塞ぐ平板部１１と、本体１Ｈの内部に挿入されて内部を流れる冷却風を整流する整流部１２とを備える。なお、平板部１１には通常、図１（ｂ）に示した蓋部材１０のように伸縮可能な付勢部が設けられ、蓋部材１０が点検孔１Ｔに取付けられた時に外れないようになっているが、以後の実施例では平板部１１に設ける付勢部の図示は省略する。
【００１７】
整流部１２は平板部１１に突設されたものであり、本体１Ｈの内部を流れる冷却風の流れ方向に沿った複数のフィンを備える。第１の実施例の蓋部材１０Ａでは、整流部１２の一部が矩形状に切り欠かれて切欠部１３が形成されている。そして、この切欠部１３に伝熱製の良い板金製のホルダ１４が取付けられて薬剤取付部１５が形成される。ホルダ１４はＬ字状に折り曲げられた板金であり、第１の実施例では中央部に冷却風を通すための孔がある。
【００１８】
図２（ｂ）は、図２（ａ）に示した切欠部１３にホルダ１４が取り付けられて薬剤取付部１５が形成された状態を示す組立斜視図である。ホルダ１４は所定の隙間を隔てて切欠部１３に取付けられ、整流部１２とホルダ１４の間にはスロット１３Ｓが形成される。そして、薬剤、例えば加熱により薬効成分が揮散する薬剤が含浸された小片である薬剤マット３０がこの薬剤取付部１５のスロット１３Ｓに挿入される。ホルダ１４は薬剤マット３０を保持するために、バネ性を持たせた板金で形成することができる。図２（ｃ）は図２（ｂ）に示した蓋部材１０Ａの薬剤取付部１５に薬剤マット３０が取付けられた状態を、平板部１１側から見た斜視図である。薬剤マット３０には板状の虫除け材（一般市販品）を使用することができる。
【００１９】
図２（ｃ）に示すように、薬剤取付部１５に薬剤マット３０が取り付けられた蓋部材１０Ａは、図１（ｂ）に示した蓋部材１０の代わりにパーソナルコンピュータ１の背面部１Ｂにある点検孔１Ｔに取り付けることができる。そして、蓋部材１０Ａが取り付けられたパーソナルコンピュータ１では、本体１Ｈの内部を流れる冷却風（温風）が薬剤マット３０を通過することにより、薬剤マット３０から薬効成分（虫除け成分）が揮散し、後述する冷却風の排気口から排出される。この薬効成分はパーソナルコンピュータ１の周囲に漂うので、パーソナルコンピュータ１を野外で使用する場合に、虫除け/殺虫が必要な場合、害虫が薬効成分で駆除され、パーソナルコンピュータ１の操作者が害虫で悩むことが少なくなる。また、薬剤マット３０は交換可能であり、蚊取線香等の虫除け/殺虫剤を別途、持ち運ぶ必要が無くなる。
【００２０】
図３（ａ）は、本出願が対象とする別の実施例のパーソナルコンピュータ１の本体１Ｈの内部の要部を示す平面図であり、図３（ｂ）は図３（ａ）のＡ−Ａ線における局部断面図である。本出願に関係のない本体１Ｈ内の構成部品、及びディスプレイ部の図示は省略してある。本体１Ｈの内部には入力キー１Ｋの下方に回路基板６があり、回路基板６には大型集積回路のような発熱部品８が搭載されている。発熱部品８で発生した熱はヒートパイプ７でヒートシンク３に導かれて放熱される。また、本体１Ｈの内部には、ヒートシンク３を冷却する冷却風を発生させるファン２が設けられている。ファン２で発生した冷却風は通風路５を経てヒートシンク３に至り、ヒートシンク３を冷却して排気口４から外部に排出される。排気口４は図５（ａ）にその形状の一例が示される。
【００２１】
この実施例では、パーソナルコンピュータ１の背面部１Ｂに、冷却風の通風路５に沿って２箇所に点検孔１Ｔ１，１Ｔ２が設けられている。点検孔１Ｔ１，１Ｔ２のパーソナルコンピュータ１の背面部１Ｂにおける位置は図５（ｂ）にも示す。図３（ａ）に示すように、点検孔１Ｔ１がヒートシンク３の上流側に設けられており、点検孔１Ｔ２がヒートシンク３の下流側に設けられている。このような場合は、本出願では、点検孔１Ｔ１には、図４（ａ）に示す平板部１１と整流部１２とから形成される蓋部材１０を使用し、点検孔１Ｔ２には、図２（ｃ）に示した本出願の第１の実施例の蓋部材１０Ａを使用する。
【００２２】
第１の実施例の蓋部材１０Ａは、図３（ｂ）から分かるように、筐体１Ｐの背面部１Ｂにある点検孔１Ｔ２から本体１Ｈ内に挿入されると、本体１Ｈ内に完全に挿入された状態で、ホルダ１４の自由端部がヒートシンク３に当接する。この結果、ヒートシンク３の熱によってホルダ１４が加熱され、薬剤マット３０に浸み込んでいた薬効成分が揮散する。揮散した薬効成分は、図５（ａ）に示すように、ファン２からの冷却風によって排気口４から筐体１Ｐの外部に放出され、パーソナルコンピュータ１の周囲に漂う。従って、パーソナルコンピュータ１を野外で使用した場合に、害虫が薬効成分で駆除され、パーソナルコンピュータ１の操作者が害虫で悩むことが少なくなる。薬剤マット３０には市販のものを使用することが可能である。
【００２３】
尚、図２（ａ）〜（ｃ）で説明した第１の実施例の蓋部材１０Ａでは、薬剤取付部１５のスロット１３Ｓに薬剤マット３０を装着しているが、薬剤マット３０に代えて、図４（ｃ）に示すようにスロット１３Ｓに芳香剤を含んだスポンジ３２を装着可能である。この場合、例えば、ミント系の成分の芳香剤をスポンジに含ませれば、パーソナルコンピュータ１の操作者に清涼感を与えることができる。スポンジ３２は交換可能である。
【００２４】
更に、図４（ｂ）に示す第２の実施例の蓋部材１０Ｂでは、整流部１２に薬剤取付部１５を第１の実施例の蓋部材１０Ａと同様に形成した上で、薬剤取付部１５に外部から液供給管１６を接続し、薬剤取付部１５に装着したスポンジ３１に水分を供給可能である。水分はパーソナルコンピュータ１の外部から、本体を経由して注入することが可能である。そして、連続してスポンジ３１に水分を供給すれば、パーソナルコンピュータ１の周囲を加湿することができる。水分の代わりに液供給管１６を通じてスポンジ３１に液状の薬剤や芳香剤を供給することも可能である。
【００２５】
図６（ａ）は、本出願が対象とする点検用の蓋部材を備えるパーソナルコンピュータ１の更に別の例の本体部分のみを示した斜視図であり、図６（ｂ）は図６（ａ）のＤ−Ｄ線における局部断面図を示している。この実施例でもパーソナルコンピュータ１のディスプレイ部の図示は省略してある。図３、図５（ｂ）で説明した実施例では、内部点検用の２つの点検孔１Ｔ１，１Ｔ２が本体１Ｈの背面部１Ｂに設けられていた。一方、図６（ａ）に示した実施例では、本体１Ｈの表面部１Ｆに２箇所に内部点検用の点検孔１ｔ１，１ｔ２が設けられている。
【００２６】
本体１Ｈの表面部１Ｆに２箇所設けられた点検孔１ｔ１，１ｔ２の位置は、例えば、図５（ｂ）に示した点検孔１Ｔ１，１Ｔ２のそれぞれ丁度真上の位置である。従って、この場合は、入力キー１Ｋに近い側の点検孔１ｔ１が本体１Ｈに内蔵されたヒートシンクの上流側に位置し、もう一方の点検孔１ｔ２が本体１Ｈに内蔵されたヒートシンクの下流側に位置している。このような場合は、本出願では、点検孔１ｔ１には、図４（ａ）に示した平板部１１と整流部１２とから形成される蓋部材１０を使用し、点検孔１ｔ２には、図２（ｃ）に示した本出願の第１の実施例の蓋部材１０Ａを使用する。
【００２７】
この場合も、蓋部材１０Ａは、図６（ｂ）から分かるように、筐体１Ｐの表面部１Ｆにある点検孔１ｔ２から本体１Ｈ内に挿入されると、本体１Ｈ内に完全に挿入された状態で、ホルダ１４の自由端部がヒートシンク３に当接する。この結果、ヒートシンク３の熱によってホルダ１４が加熱され、薬剤マット３０に浸み込んでいた薬効成分が揮散して、ファン２からの冷却風によって排気口４から筐体１Ｐの外部に放出され、パーソナルコンピュータ１の周囲に漂う。従って、パーソナルコンピュータ１を野外で使用した場合に、害虫が薬効成分で駆除され、パーソナルコンピュータ１の操作者が害虫で悩むことが少なくなる。
【００２８】
図７は、図６（ａ）に示した点検孔１ｔ２がパーソナルコンピュータ１の側面部１Ｓに、点検孔１ｔ３として設けられている場合の、本出願の第３の実施例の蓋部材１０Ｃの構成を、パーソナルコンピュータ１の本体１Ｈと共に示す斜視図である。第３の実施例の蓋部材１０Ｃには、図２で説明した第１の実施例の蓋部材１０Ａと同様の平板部１１、整流部１２及び薬剤取付部１５があり、薬剤取付部１５に薬剤マット３０を取り付けることができる。第３の実施例の蓋部材１０Ｃの第１の実施例の蓋部材１０Ａとの相違点は、薬剤取付部１５側の平板部１１が延長され、先端部にパーソナルコンピュータ１の側面部１Ｓと同形状のカバー１７が設けられている点である。
【００２９】
第３の実施例の蓋部材１０Ｃは、パーソナルコンピュータ１の側面部１Ｓから本体１Ｈ内に挿入すると、薬剤取付部１５にあるホルダ１４がヒートシンクに接触して加熱されることは既に説明した実施例と同様である。従って、第３の実施例の蓋部材１０Ｃを装着したパーソナルコンピュータ１においても、パーソナルコンピュータ１を野外で使用した場合に、害虫が薬効成分で駆除され、パーソナルコンピュータ１の操作者が害虫で悩むことが少なくなる。
【００３０】
図８（ａ）は、パーソナルコンピュータ１に取り付ける本出願の第４の実施例の蓋部材１０Ｄの構成を示す斜視図であり、図８（ｂ）は図８（ａ）に示した蓋部材１０Ｄが図６（ａ）に示したパーソナルコンピュータ１の点検孔１ｔ２に取り付けられた状態を示す斜視図である。また、図８（ｂ）のＥ−Ｅ線における断面が図９（ａ）及び（ｂ）に示される。図９（ａ）は、点検孔１ｔ１に図４（ａ）に示した蓋部材１０を取り付けた時の断面を示しており、図９（ｂ）は、点検孔１ｔ１に図２（ｃ）に示した蓋部材１０Ａを取り付けた時の断面を示している。
【００３１】
第４の実施例の蓋部材１０Ｄには、第１と第３の実施例の蓋部材１０Ａ，１０Ｄに設けられている薬剤取付部１５は設けられていない。一方、第４の実施例の蓋部材１０Ｄでは、平板部１１の一部が切り欠かれ、切り欠かれた部分を貫いて整流部１２の各フィン１２Ｆが延長されている。各フィン１２Ｆの延長部は冷却風の流れの下流側において湾曲しており、この湾曲部は平板部１１側から延伸された風向き変更カバー１８で覆われている。図９（ａ）、（ｂ）に示すように、風向き変更カバー１８の上端側の端面はフィン１２の冷却風の上流側の端面に一致しており、風向き変更カバー１８の下端側は、フィン１２の高さの半分程度まで延長されている。
【００３２】
蓋部材１０と第４の実施例の蓋部材１０Ｄが取り付けられたパーソナルコンピュータ１では、図９（ａ）に示すように、ヒートシンク３で暖められた冷却風（温風）Ｈが排気口４から排出されると共に、風向き変更カバー１８により前面側に排出される。この結果、パーソナルコンピュータ１の入力キー１Ｋ側に温風が流れ、入力キー１Ｋの周辺が暖められ、寒い時にも、温かい状態で入力操作が可能になる。
【００３３】
また、第１の実施例の蓋部材１０Ａと第４の実施例の蓋部材１０Ｄが取り付けられたパーソナルコンピュータ１では、図９（ｂ）に示すように、冷却風（温風）Ｈと薬剤マット３０からの芳香剤Ｖが排気口４から排出されると共に、蓋部材１０Ｄから排出される。この結果、パーソナルコンピュータ１の入力キー１Ｋ側には温風と芳香剤が流れ出るので、入力キー１Ｋの周辺が暖められると共に、芳香剤により操作者が癒される。
【００３４】
図１０（ａ）はパーソナルコンピュータに取付ける本出願の第５の実施例の蓋部材１０Ｅの構成を示す斜視図であり、図１０（ｂ）は図１０（ａ）に示した蓋部材１０Ｅが図６（ａ）に示したパーソナルコンピュータ１に取り付けられた場合の部分拡大平面図である。第５の実施例の蓋部材１０Ｅは、第４の実施例の蓋部材１０Ｄの風向き変更カバー１８の内面に、傾斜板１９を取り付けたものである。傾斜板１９は、冷却風が入力キー１Ｋの中央側に向かう方向に傾斜している。第５の実施例の蓋部材１０Ｅが取り付けられたパーソナルコンピュータ１では、図１０（ｂ）に示すように、蓋部材１０Ｅから吹き出される冷却風が、入力キー１Ｋの中央側に向かう方向に偏向される。第５の実施例の蓋部材１０Ｅは、第４の実施例の蓋部材１０Ｄと同様に、蓋部材１０との組み合わせ、及び第１の実施例の蓋部材１０Ａとの組み合わせが可能である。
【００３５】
図１１（ａ）はパーソナルコンピュータ１に取付ける本出願の第６の実施例の蓋部材１０Ｆの構成を示す斜視図である。第６の実施例の蓋部材１０Ｆは、平板部１１と、平板部１１に突設された複数のフィンを備える整流部１２及び整流部１２の一部に設けられた邪魔板２０とから形成される。邪魔板２０は、冷却風の上流側から見て左上側の整流部１２を塞ぐと共に、左端側が外側に延長されて冷却風の上流側に湾曲している。この邪魔板２０によって、蓋部材１０Ｆには折り返し通風路２１が形成され、整流部１２の上部にある邪魔板２０に当たった冷却風が折り返し通風路２１によって整流部１２の外側で蓋部材１０Ｆの前面側に吹き出すようになっている。
【００３６】
図１１（ｂ）は図１１（ａ）に示した蓋部材１０Ｆが図６（ａ）に示したパーソナルコンピュータ１に取り付けられた場合の、本体１Ｈの下側筐体の構成を示す平面図である。折り返し通風路２１の前面側には、冷却風を流す連絡通路２４が設けられており、この連絡通路２４はパーソナルコンピュータ１の入力キーの下側に広がる空気溜り２５に連通している。また、連絡通路２４の上流部には冷却風の連絡通路２４への流入を止める流路切換弁９が設けられている。
【００３７】
一方、図１２に示す平面図に記載するように、図１１（ｂ）に示した空気溜り２５の上方には、空気を上方に噴出す空気吹き出しパネル２２が設けられている。空気吹き出しパネル２２は、入力キーの直下に位置しており、ところどころに空気噴出孔２３が開けられている。空気噴出孔２３は入力キーの各キーの隙間の部分に対応して設けられている。また、図１２には回路基板６の上の発熱部品８、ファン２、ヒートパイプ７が合わせて記載してある。
【００３８】
この実施例のパーソナルコンピュータ１の本体１Ｈでは、ヒートパイプ７を通じて発熱部品８の熱がヒートシンク３に伝えられている状態でファン２が回転すると、通風路５を流れる冷却風は、ヒートシンク３で暖められる。そして、暖められた冷却風は、第６の実施例の蓋部材１０Ｆを通って排気口４から外部に放出されると共に、流路切換弁９が開いている時に、その一部が折り返し通風路２１で折り返されて連絡通路２４に入り、空気溜り２５に流入する。そして、空気吹き出しパネル２２の空気噴出孔２３から噴出した温風（冷却風）は各キーの隙間から入力キーの上側に吹き出す。
【００３９】
この結果、冬季等の寒い時に、入力キーの上側の部分が暖かい冷却風で暖められるので、入力操作者の入力操作がし易くなる。なお、入力キーの上側の部分を暖かい冷却風で暖める必要がない時には、連絡通路２４の上流側に設けられた流路切換弁９を閉じ、連絡通路２４に温風が流入しないようにすれば良い。
【００４０】
以上説明したように、本出願では、パーソナルコンピュータのような屋外で使用する状況が想定される電子機器において、その筐体の一部を虫除け機能付の蓋部材に交換することにより、屋外での使用が快適になる。また、蓋部材として殺虫、虫除け、加湿、保湿、眠気対策、温風排出の機能を備えた蓋部材を用意しておけば、蓋部材の組み合わせ使用、或いは交換使用をすることにより、利用シーンに応じて殺虫、虫除け、加湿、保湿、眠気対策、温風排出の機能が選べる。この結果、電子機器を屋外に持ち出して作業する際に、別途蚊取線香等の機器を持ち運ぶことを不要とし、快適にパソコン操作をすることが出来る。
【００４１】
以上、本出願を特にその好ましい実施の形態を参照して詳細に説明した。本出願の容易な理解のために、本出願の具体的な形態を以下に付記する。
【００４２】
（付記１）  ファンで発生させた冷却風をヒートシンクに送って冷却を行い、前記ファンと前記冷却風の排気口とを結ぶ通風路に、筐体から取り外しできる蓋部材が設けられている電子機器において、
前記蓋部材に、薬剤含浸材を保持可能な伝熱部材製のホルダを備える薬剤取付部を設け、
前記ホルダは、前記蓋部材が前記筐体に取り付けられた状態で、前記ヒートシンクに当接するようにしたことを特徴とする電子機器。
（付記２）  前記薬剤取付部が設けられた蓋部材に加えて、加湿や保湿機能、眠気防止機能、温風取り出し機能、風向き変更機能の何れかの機能を備えた蓋部材が前記電子機器に備えられており、前記蓋部材は用途に応じて交換可能であることを特徴とする付記１に記載の電子機器。
（付記３）  前記蓋部材が前記ヒートシンクを流れる前記冷却風の上流側と下流側の２箇所に設けられており、
各場所の蓋部材には異なる機能を備えた前記薬剤取付部を持つ蓋部材を取付けることができることを特徴とする付記２に記載の電子機器。
（付記４）  前記蓋部材が前記ヒートシンクのフィンを掃除するためのダストカバーであることを特徴とする付記１から３の何れかに記載の電子機器。
（付記５）  前記ホルダが板金であり、該板金は前記ダストカバーとの間に市販の板状の虫除け材を挟みこむ形状になっていることを特徴とする付記４に記載の電子機器。
【００４３】
（付記６）  前記蓋部材が前記電子機器の底面に設けられていることを特徴とする付記１から５の何れかに記載の電子機器。
（付記７）  前記蓋部材が前記電子機器の側面に設けられていることを特徴とする付記１又は２に記載の電子機器。
（付記８）  上流側の蓋部材には前記薬剤取付部を持つ蓋部材、或いは加湿や保湿機能、眠気防止機能を備える蓋部材が取付けられ、下流側の蓋部材には温風取り出し機能、或いは風向き変更機能を備える蓋部材が取付けられることを特徴とする付記３に記載の電子機器。
（付記９）  前記下流側の蓋部材には温風取り出し機能を備える蓋部材が取付けられ、前記下流側の蓋部材は、前記電子機器の表面に取り付けられていることを特徴とする付記８に記載の電子機器。
（付記１０）  前記下流側の蓋部材には風向き変更機能を備える蓋部材が取付けられ、前記風向き変更機能を備える蓋部材を通過した前記冷却風は、分散されて前記電子機器の表面から放出されることを特徴とする付記８に記載の電子機器。
【００４４】
（付記１１）  前記電子装置がキーボードを備えて折り、前記分散された冷却風は、前記キーボートのキーの隙間から上方に放出されることを特徴とする付記１０に記載の電子装置。
（付記１２）  前記ヒートシンクは、ヒートパイプによって前記電子機器内の発熱部材に接続されていることを特徴とする付記１から１１の何れかに記載の電子機器。
【符号の説明】
【００４５】
１    電子機器（パーソナルコンピュータ）
２    ファン
３    ヒートシンク
４    排気口
５    通風路
７    ヒートパイプ
８    発熱部品
９    流路切換弁
１０，１０Ａ，１０Ｂ，１０Ｃ，１０Ｄ，１０Ｅ，１０Ｆ    蓋部材
１２    整流部
１４    ホルダ
１５    薬剤取付部
１６    液供給管
１８    風向き変更カバー
２０    邪魔板
２１    折り返し通風路
２２    空気吹き出しパネル
２３    空気噴出孔
２５    空気溜り
３０    薬剤マット
【図１】
2014032497.tif 000003
【図２】
2014032497.tif 000004
【図３】
2014032497.tif 000005
【図４】
2014032497.tif 000006
【図５】
2014032497.tif 000007
【図６】
2014032497.tif 000008
【図７】
2014032497.tif 000009
【図８】
2014032497.tif 000010
【図９】
2014032497.tif 000011
【図１０】
2014032497.tif 000012
【図１１】
2014032497.tif 000013
【図１２】
2014032497.tif 000014